(57)【特許請求の範囲】
【請求項１】
キーボード入力位置およびタブレット入力位置で使用可能なコンバーチブル型のコンピュータであって、
キーボードを実装するシステム筐体と、
入力表示パネルを収納したディスプレイ筐体と、
前記ディスプレイ筐体の周辺に実装された無線ＷＡＮの主アンテナと、
使用停止位置で前記主アンテナを前記システム筐体の前記キーボード入力位置における前記入力表示パネルに正対したときの手前側の側端面より内側に位置付け、前記タブレット入力位置で前記主アンテナを前記手前側の側端面より外側に位置付けるように前記ディスプレイ筐体を回動可能に支持するヒンジ機構とを有し、
前記使用停止位置において前記ディスプレイ筐体と前記システム筐体の少なくとも３つの側端面の位置が整合しているコンピュータ。
【請求項２】
前記ヒンジ機構が、
前記ディスプレイ筐体を前記使用停止位置から少なくとも１８０度の範囲で回動可能に支持する水平軸と、
前記水平軸を少なくとも１８０度の範囲で回動可能に支持する垂直軸とを有し、
前記使用停止位置において、前記水平軸と前記垂直軸とが交差しないように構成されている請求項１に記載のコンピュータ。
【請求項３】
前記使用停止位置において前記水平軸が前記垂直軸より前記システム筐体の奥側に配置され前記タブレット入力位置において前記水平軸が前記垂直軸より手前側に配置される請求項２に記載のコンピュータ。
【請求項４】
キーボード入力位置およびタブレット入力位置で使用可能なコンバーチブル型のコンピュータであって、
キーボードを実装するシステム筐体と、
入力表示パネルを収納したディスプレイ筐体と、
前記ディスプレイ筐体の周辺に実装された無線ＷＡＮの主アンテナを含む複数のアンテナと、
使用停止位置で前記複数のアンテナを前記システム筐体の前記キーボード入力位置の前記入力表示パネルに正対したときの右側または左側のいずれかの側端面と手前側の側端面より内側に位置付け、前記タブレット入力位置で前記複数のアンテナを前記右側または左側のいずれかの側端面と前記手前側の側端面より外側に位置付けるように前記ディスプレイ筐体を回動可能に支持するヒンジ機構とを有し、
前記使用停止位置において前記ディスプレイ筐体と前記システム筐体の少なくとも３つの側端面の位置が整合しているコンピュータ。
【請求項５】
前記ヒンジ機構が、
前記ディスプレイ筐体を前記使用停止位置から少なくとも１８０度の範囲で回動可能に支持する水平軸と、
前記水平軸を少なくとも１８０度の範囲で回動可能に支持する垂直軸とを有し、
前記使用停止位置において、前記水平軸および前記キーボード入力位置で前記入力表示パネルに正対したときの前記ディスプレイ筐体の左右方向の中心を通過するラインの双方と前記垂直軸とが交差しないように構成されている請求項４に記載のコンピュータ。
【請求項６】
前記使用停止位置において前記水平軸が前記垂直軸より前記システム筐体の奥側に配置されかつ前記ラインが前記垂直軸より左側または右側に配置され、前記タブレット入力位置において前記水平軸が前記垂直軸より手前側に配置されかつ前記ラインが前記垂直軸より右側または左側に配置される請求項５に記載のコンピュータ。
【発明の詳細な説明】
【技術分野】
【０００１】
本発明は、コンバーチブル型コンピュータのタブレット入力モードにおけるアンテナ性能を向上する技術に関する。
【背景技術】
【０００２】
パーソナル・コンピュータの中で、ディスプレイに対してペンや指で入力する薄型のものをタブレット型パーソナル・コンピュータ（以下、タブレットＰＣという。）という。タブレットＰＣは、キーボードを使用しないでペンや指で入力することにより、ノートブック型パーソナル・コンピュータ（以後ノートＰＣという。）と同等の機能を提供する。タブレットＰＣには、大きく分けてコンバーチブル型とピュアタブレット型の２種類がある。コンバーチブル型は、キーボードを実装したノートＰＣのディスプレイの方向を変えて、ノートＰＣまたはタブレットＰＣのいずれかとして利用できる構造のものである。ピュアタブレット型は、キーボードを実装せずディスプレイに対する入力のみを行う構造のものである。
【０００３】
以下、本明細書においては単にコンピュータと記載したときはコンバーチブル型のタブレットＰＣを示すものとする。そして、コンピュータがキーボードから入力するノートＰＣとして動作する状態をキーボード入力モードといい、ディスプレイから入力するタブレットＰＣとして動作する状態をタブレット入力モードということにする。コンピュータは、無線通信装置およびアンテナを装備することにより、無線ＬＡＮ（Wireless Local Area Network）または無線ＷＡＮ（Wireless Wide Area Network）などを介してネットワークに接続することができる。このとき、アンテナは電波の送受信特性を良好にするためにディスプレイ筐体の周辺に設けられる。
【０００４】
一般にはアンテナは、キーボード入力モードで使用するときのディスプレイ筐体の位置において最も良好な電波特性が期待できるようにディスプレイ筐体の上縁に配置する。本明細書においてはキーボード入力モードでのディスプレイ筐体の位置をキーボード入力位置ということにする。図９は、アンテナを装備する従来のコンピュータの外形図である。コンピュータ１０は、システム・デバイスを収納し表面にキーボード１５を実装するシステム筐体１１およびペンで入力するデジタイザの機能と指で入力するタッチ・スクリーンの機能と液晶ディスプレイとを組み合わせた入力表示パネル１７を収納するディスプレイ筐体１３を備える。
【０００５】
システム筐体１１およびディスプレイ筐体１３は、それぞれの端部の中央でヒンジ機構２１によって連結されている。ヒンジ機構２１は、これらの筐体を互いに開閉する方向に回動自在に支持している。さらにヒンジ機構２１は、システム筐体１１からディスプレイ筐体１３を開いたキーボード入力位置で、入力表示パネルとディスプレイ筐体１３の背面が反転するまでディスプレイ筐体１３を少なくとも１８０度の範囲で回動させることが可能である。
【０００６】
コンピュータ１０は、図９（Ａ）に示すキーボード入力モードでは、通常のノートＰＣのように、キーボード１５に対して操作して使用することができる。さらに、図９（Ｂ）に示すようにキーボード入力位置のディスプレイ筐体１３を回転させて、図９（Ｃ）に示すようにシステム筐体１１の上にディスプレイ筐体１３の背面を重ねるように折り畳み、入力表示パネル１７が表を向くようにすれば、図９（Ｄ）に示すタブレット入力モードとなる。本明細書においてはタブレット入力モードでのディスプレイ筐体１３の位置をタブレット入力位置ということにする。
【０００７】
ディスプレイ筐体１３は、入力表示パネル１７の周辺部に４つの枠縁を含んでいる。下縁１２ａには、表示方向や表示する画面を変更する複数の操作ボタン２３が設けられている。上縁１２ｃの内部には、無線ＷＡＮの補助アンテナおよび複数の無線ＬＡＮのアンテナが実装されている。さらに上縁１２ｃから突き出るように無線ＷＡＮの主アンテナ６０が設けられている。上縁１２ｃと下縁１２ａは、入力表示パネル１７を囲むように左縁１２ｄと右縁１２ｂで連絡している。
【０００８】
キーボード入力位置では、上縁１２ｃに収納されているアンテナがシステム筐体１１の影響を受けないが、タブレット入力位置ではシステム筐体１１と接近するために性能が低下する。無線ＷＡＮの主アンテナ６０は送信と受信に使用するため補助アンテナよりも高い性能が要求される。主アンテナ６０は、タブレット入力位置でもシステム筐体１１からの電波干渉を受けないようにするために、タブレット入力位置でシステム筐体１１より外側に突き出るようにしている。
【０００９】
特許文献１は、コンバーチブル型のタブレットＰＣを腕に抱えて操作するときに人体とアンテナの距離が接近することを防ぐために、タブレット入力位置でアンテナがシステム筐体の外周縁よりも内側に配置されるようにしたヒンジ機構を開示する。
【先行技術文献】
【特許文献】
【００１０】
【特許文献１】特開２００８−１５８７７１号公報
【発明の概要】
【発明が解決しようとする課題】
【００１１】
図９に示すように主アンテナ６０をディスプレイ筐体１３の上縁１２ｃの側端面から突き出すと、筐体全体の外形寸法が大きくなったり、キャビネットに収納する際にアンテナ６０が上を向くように位置設定をする必要があったりして不便である。さらにタブレット入力位置でも、システム筐体のサイズを維持したままで、すべてのアンテナの電波特性をキーボード入力位置と同等に維持することが望まし。そこで本発明の目的は、タブレット入力位置におけるアンテナの電波特性が良好なコンバーチブル型のコンピュータを提供することにある。さらに本発明の目的は、コンバーチブル型コンピュータのタブレット入力位置におけるアンテナの電波特性を向上する方法を提供することにある。
【課題を解決するための手段】
【００１２】
本発明はキーボード入力位置またはタブレット入力位置のいずれかで使用可能なコンバーチブル型のコンピュータに関する。コンピュータはキーボードを実装するシステム筐体とディスプレイを収納したディスプレイ筐体とディスプレイ筐体の周辺に実装されたアンテナを有する。ディスプレイ筐体とシステム筐体は、ヒンジ機構で回動可能なように結合される。
【００１３】
ヒンジ機構は、使用停止位置でアンテナをシステム筐体の側端面より内側に位置付け、タブレット入力位置でシステム筐体の側端面より外側に位置付けるようにディスプレイ筐体を回動可能に支持する。使用停止位置においては、ディスプレイ筐体とシステム筐体の少なくとも３つの側端面の位置を整合させることができる。少なくとも３つの側端面は、キーボード入力位置でユーザが入力表示パネルに正対したときの手前側、左側および右側の側端面とすることができる。
【００１４】
ヒンジ機構は、ディスプレイ筐体を使用停止位置から少なくとも１８０度の範囲で回動可能に支持する水平軸と、水平軸を少なくとも１８０度の範囲で回動可能に支持する垂直軸とを有し、使用停止位置において、水平軸またはキーボード入力位置の入力表示パネルに正対したときのディスプレイ筐体の左右方向の中心を通過するラインの少なくともいずれか一方と垂直軸とが交差しないように構成することができる。
【００１５】
アンテナが外側に配置されるシステム筐体の側端面は、キーボード入力位置の入力表示パネルに正対したときの手前側の側端面とすることができる。このときヒンジ機構は、使用停止位置において水平軸が垂直軸よりシステム筐体の奥側に配置され、タブレット入力位置において水平軸が垂直軸より手前側に配置されるように構成することができる。
【００１６】
アンテナが外側に配置されるシステム筐体の側端面は、キーボード入力位置の入力表示パネルに正対したときの右側または左側の側端面とすることができる。このときヒンジ機構は、使用停止位置において前述のラインが垂直軸より左側または右側に配置され、タブレット入力位置において前述のラインが垂直軸より右側または左側に配置されるように構成することができる。
【００１７】
アンテナが外側に配置されるシステム筐体の側端面は、キーボード入力位置の入力表示パネルに正対したときの右側または左側のいずれかの側端面と手前側の側端面とすることができる。このときヒンジ機構は、使用停止位置において水平軸が垂直軸よりシステム筐体の奥側に配置されかつ前述のラインが垂直軸より左側または右側に配置され、タブレット入力位置において水平軸が垂直軸よりシステム筐体の手前側に配置されかつ前述のラインが垂直軸より右側または左側に配置されるように構成することができる。
【発明の効果】
【００１８】
本発明により、タブレット入力位置におけるアンテナの電波特性が良好なコンバーチブル型のコンピュータを提供することができた。さらに本発明により、コンバーチブル型コンピュータのタブレット入力位置におけるアンテナの電波特性を向上する方法を提供することができた。
【図面の簡単な説明】
【００１９】
【図１】図１は、本実施の形態にかかるコンピュータ５０の外形を示す斜視図である。
【図２】ヒンジ構造１００の構造を説明する図である。
【図３】ディスプレイ筐体１３が垂直軸２０３を中心にして回動するときのヒンジ機構１００の挙動を説明する図である。
【図４】ヒンジ機構１００を適用したコンピュータ５０が、使用停止位置からタブレット入力位置に姿勢を変更する際に、ディスプレイ筐体１３が手前側端面１４ｃの方向にシフトする様子を示す図である。
【図５】ヒンジ機構の他の例を示す図３に対応する図である。
【図６】図５のヒンジ機構を適用したコンピュータ３００が、使用停止位置からタブレット入力位置に姿勢を変更する際にディスプレイ筐体１３が右側端面１４ｂの方向にシフトする様子を示す図である。
【図７】ヒンジ機構の他の例を示す図３、図５に対応する図である。
【図８】図７のヒンジ機能１４０を適用したコンピュータ４００が、使用停止位置からタブレット入力位置に姿勢を変更する際に、ディスプレイ筐体１３が右側端面１４ｂの方向および手前側端面１４ｃの方向にそれぞれシフトする様子を示す図である。
【図９】アンテナを装備する従来のコンピュータの外形図である。
【発明を実施するための形態】
【００２０】
図１は、本実施の形態にかかるコンピュータ５０の外形を示す斜視図である。コンピュータ５０は主として、ヒンジ機構１００の構造と、無線ＷＡＮの主アンテナがディスプレイ筐体１３の上縁の内部に実装されている点で図９のコンピュータ１０と異なっている。本明細書の全体を通じて実施形態を説明する上で区別する必要がない範囲では図面の同一の要素には同一の参照番号を付して説明を省略する。
【００２１】
キーボード入力位置で入力表示パネル１７に正対したユーザを基準にして、システム筐体１１の周囲を奥側端面１４ａ、右側端面１４ｂ、手前側端面１４ｃ、および左側端面１４ｄということにする。システム筐体１１とディスプレイ筐体１３は、ヒンジ機構１００で結合されている。ヒンジ機構１００の構造は図２〜図４に基づいて説明する。
【００２２】
図２は、ヒンジ機構１００の構造を説明する図である。図２（Ａ）はディスプレイ筐体１３をキーボード入力位置まで回動させ、垂直軸２０３を含み奥側端面１４ａに平行な平面で切断した断面図である。図２（Ｂ）は、ヒンジ機構１００の回動部分の構造を示す斜視図である。ヒンジ機構１００は、回動部１０１と水平軸受部１１１ａ、１１１ｂと垂直軸受部１１３で構成されている。水平軸受部１１１ａ、１１１ｂはディスプレイ筐体１３の下縁１２ａの内部に固定されている。垂直軸受部１１３は、システム筐体１１の左右方向の中心で奥側端面１４ａに近い位置のシステム筐体１１の内部に固定されている。
【００２３】
回動部１０１は、連結部１０３、水平円筒部１０５ａ、１０５ｂ、垂直円筒部１０７で構成されている。連結部１０３は水平円筒部１０５ａ、１０５ｂおよび垂直円筒部１０７を相互に回転したり移動したりしないように結合する。水平円筒部１０５ａは水平軸受部１１１ａで回動可能に支持され、水平円筒部１０５ｂは水平軸受部１１１ｂで回動可能に支持されている。水平円筒部１０５ａ、１０５ｂの中心には水平軸２０１が定義される。
【００２４】
いまコンピュータ１０の使用を停止したり持ち運んだりする際に、入力表示パネル１７をキーボード１５に対向するように閉じたときのディスプレイ筐体１３の位置を使用停止位置ということにする。ディスプレイ筐体１３は水平軸２０１を中心にして、使用停止位置から入力表示パネル１７が完全に上を向くまでの少なくとも１８０度の角度の範囲で回動することができる。その際に水平円筒部１０５ａ、１０５ｂに対して水平軸受部１１１ａ、１１１ｂはそれぞれ所定の制動トルクを与える。したがってユーザは、制動トルクより強い力を加えて水平軸２０１を中心にしてディスプレイ筐体１３を回動させることができるが、手を離すと任意の位置でディスプレイ筐体１３は停止する。
【００２５】
垂直円筒部１０７は垂直軸受部１１３により回動可能に支持されている。垂直円筒部１０７の中心には、垂直軸２０３が定義されている。水平円筒部１０５ａ、１０５ｂで支持されるディスプレイ筐体１３は、垂直軸２０３を中心にして入力表示パネル１７がキーボード１５側を向いているキーボード入力位置からディスプレイ筐体１３の背面がキーボード１５側を向くまでの少なくとも１８０度の角度の範囲で回動することができる。その際に垂直円筒部１０７に対して垂直軸受部１１３は所定の制動トルクを与える。したがって、ディスプレイ筐体１３はキーボード入力位置で軽く手が触れただけでは垂直軸２０３を中心に回動しないようになっている。
【００２６】
図３は、ディスプレイ筐体１３が垂直軸２０３を中心にして回動するときのヒンジ機構１００の挙動を説明する図である。図３は、図の上側が奥側端面１４ａの方向に位置するようにヒンジ機構を上からみた状態を模式的に示している。図３（Ａ）は、従来のヒンジ機構を示し、図３（Ｂ）は使用停止位置でのヒンジ機構１００の状態を示し、図３（Ｃ）はタブレット入力位置でのヒンジ機構１００の状態を示している。なお、使用停止位置とキーボード入力位置でのヒンジ機構の状態は図３の表現上は同じになる。
【００２７】
ライン２０７は、使用停止位置およびタブレット入力位置におけるディスプレイ筐体１３の左右方向の中心を通過し、奥側端面１４ａに垂直なラインである。ライン２０７はシステム筐体１１の左右方向の中心線にも一致する。ディスプレイ筐体１１の左右方向の中心は、図４に示す右側端面１６ｂと左側端面１６ｄの間の距離の中心に相当する。図３では、いずれもライン２０７は垂直軸２０３と交差している。ただし本発明は、ライン２０７が垂直軸２０３と交差しない場合にも適用することができる。
【００２８】
従来のヒンジ機構では、図３（Ａ）に示すように水平軸２０１と垂直軸２０３が交差するように水平円筒部１０５と垂直円筒部１０７が結合されていた。したがって、使用停止位置からタブレット入力位置まで水平円筒部１０５が垂直軸２０３を中心にして１８０度回動した場合に、回動の前後で奥側端面１４ａから水平軸２０１までの距離Ｘ１は同じになる。
【００２９】
これに対して本実施の形態にかかるヒンジ機構１００では、図３（Ｂ）の使用停止位置において水平円筒部１０５の水平軸２０１は、垂直軸２０３から距離Ｙだけ奥側端面１４ａの方向に変位している。このとき奥側端面１４ａから水平軸２０１までの距離をＸ２とする。使用停止位置からタブレット入力位置まで水平円筒部１０５が垂直軸２０３を中心にして１８０度回動したときは、図３（Ｃ）に示すように水平軸２０１は、垂直軸２０３から距離Ｙだけ手前側端面１４ｃの方向に変位した位置に位置付けられる。このとき奥側端面１４ａから水平軸２０１までの距離をＸ３とすれば、Ｘ３＝Ｘ２＋２＊Ｙとなる。よって、ディスプレイ筐体１３は使用停止位置からタブレット入力位置に姿勢を変更する際に、システム筐体１１に対して手前側端面１４ｃの方向に距離２Ｙだけシフトすることになる。
【００３０】
図４は、ヒンジ機構１００を適用したコンピュータ５０が使用停止位置からタブレット入力位置まで姿勢を変更する際に、ディスプレイ筐体１３が手前側端面１４ｃの方向にシフトする様子を示す図である。図４（Ａ）は、使用停止位置における平面図で、図４（Ｂ）は使用停止位置における左側側面図である。図４（Ｃ）は、タブレット入力位置における平面図で、図４（Ｄ）はタブレット入力位置における左側面図である。
【００３１】
ここで、システム筐体１１に対応させて、ディスプレイ筐体１３の４つの側端面を奥側側面１６ａ、右側端面１６ｂ、手前側端面１６ｃおよび左側端面１６ｄとする。システム筐体１１とディスプレイ筐体１３の右側端面１４ｂ、１６ｂ、手前側端面１４ｃ、１６ｃ、左側端面１４ｄ、１６ｄはそれぞれ使用停止位置で平面的に位置が整合している。図４（Ａ）、（Ｂ）に示す使用停止位置では、上縁１２ｃの内部に実装されたアンテナ５１ａ〜５１ｄは、システム筐体１１の手前側端面１４ｃの内側（キーボード１５側）に位置付けられシステム筐体１１の表面と対向する。
【００３２】
キーボード入力位置では、上縁１２ｃの内部に実装されたアンテナ５１ａ〜アンテナ５１ｄの周囲にはシステム筐体１１が存在しないので、アンテナ５１ａ〜５１ｄは良好な電波特性を維持することができる。図４（Ｃ）、（Ｄ）に示すタブレット入力位置ではキーボード入力位置に対して、ディスプレイ筐体１３の手前側端面１６ｃがシステム筐体１１の手前側端面１４ｃより外側に２＊Ｙだけシフトしている。したがって、アンテナ５１ａ〜５１ｄは手前側端面１４ｃの外側に位置付けられてシステム筐体１１と対向しないため、システム筐体１１や内部の金属部品の影響を受けることがなく良好な電波特性を維持する。
【００３３】
図５は、ヒンジ機構の他の例を示す図３に対応する図である。図５（Ａ）は使用停止位置でのヒンジ機構１２０の状態を示し、図５（Ｂ）はタブレット入力位置でのヒンジ機構１２０の状態を示している。ライン２１１は、ディスプレイ筐体１３の左右方向の中心を通過し、奥側端面１４ａに垂直なラインである。ライン２１１は使用停止位置ではシステム筐体１１の左右方向の中心線にも一致する。ライン２１１と垂直軸２０３は距離Ｙだけ離れている。よって、ディスプレイ筐体１３は使用停止位置からタブレット入力位置に姿勢を変更する際に、システム筐体１１に対して右側端面１４ｂの方向に距離２＊Ｙだけシフトすることになる。
【００３４】
図６は、ヒンジ機能１２０を適用したコンピュータ３００が使用停止位置からタブレット入力位置に姿勢を変更する際に、ディスプレイ筐体１３が右側端面１４ｂの方向にシフトする様子を示す図である。図６（Ａ）は、使用停止位置における平面図で、図６（Ｂ）は使用停止位置における正面図である。図６（Ｃ）は、タブレット入力位置における平面図で、図６（Ｄ）はタブレット入力位置における正面図である。システム筐体１１とディスプレイ筐体１３の右側端面１４ｂ、１６ｂ、手前側端面１４ｃ、１６ｃ、左側端面１４ｄ、１６ｄはそれぞれ使用停止位置で平面的に位置が整合している。
【００３５】
コンピュータ３００は、アンテナ５３ａ〜５３ｃをディスプレイ筐体１３の左縁１２ｄの内部に実装しており、図６（Ａ）、（Ｂ）に示す使用停止位置では、左側端面１４ｄの内側に位置付けられてシステム筐体１１と対向する。キーボード入力位置では、アンテナ５３ａ〜５３ｃの周囲にシステム筐体１１が存在しないので良好な電波特性を維持する。
【００３６】
図６（Ｃ）、（Ｄ）に示すタブレット入力位置ではキーボード入力位置に対して、ディスプレイ筐体１３の左側端面１６ｄがシステム筐体１１の右側端面１４ｂより外側に２＊Ｙだけシフトしている。したがって、アンテナ５３ａ〜５３ｃは右側端面１４ｂの外側に位置付けられてシステム筐体１１と対向しないため、システム筐体１１や内部の金属部品の影響を受けることがなく良好な電波特性を維持する。なお、アンテナ５３ａ〜５３ｃを右縁１２ｂの内部に実装し、タブレット入力位置でディスプレイ筐体１３の右側端面１６ｂがシステム筐体１１の左側端面１４ｄより外側にシフトするようにヒンジ機構を構成してもよい。
【００３７】
図７は、ヒンジ機構の他の例を示す図３、図５に対応する図である。図７（Ａ）は使用停止位置でのヒンジ機構１４０の状態を示し、図７（Ｂ）はタブレット入力位置でのヒンジ機構１４０の状態を示している。ライン２１５は、ディスプレイ筐体１３の左右方向の中心を通過し、奥側端面１４ａに垂直なラインである。ライン２１５は使用停止位置ではシステム筐体１１の左右方向の中心線にも一致する。垂直軸２０３とライン２１５は距離Ｙだけ離れ、さらに垂直軸２０３と水平軸２０１も距離Ｙだけ離れている。よって、ディスプレイ筐体１３は使用停止位置からタブレット入力位置に姿勢を変更する際に、システム筐体１１に対して右側端面１４ｂの方向と手前側端面１４ｃの方向にそれぞれ距離２＊Ｙだけシフトすることになる。
【００３８】
図８は、ヒンジ機能１４０を適用したコンピュータ４００が使用停止位置からタブレット入力位置に姿勢を変更する際に、ディスプレイ筐体１３が右側端面１４ｂの方向および手前側端面１４ｃの方向にそれぞれシフトする様子を示す図である。図８（Ａ）は、使用停止位置における平面図で、図８（Ｂ）はタブレット入力位置における平面図である。システム筐体１１とディスプレイ筐体１３の右側端面１４ｂ、１６ｂ、手前側端面１４ｃ、１６ｃ、左側端面１４ｄ、１６ｄはそれぞれ使用停止位置で平面的に位置が整合している。
【００３９】
コンピュータ４００は、アンテナ５１ａ〜５１ｄをディスプレイ筐体１３の上縁１２ｃの内部に実装し、アンテナ５３ａ〜５３ｃを左縁１２ｄの内部に実装しており、図８（Ａ）に示すように使用停止位置では、アンテナ５１ａ〜５１ｄが手前側端面１４ｃの内側に位置付けられ、アンテナ５３ａ〜５３ｃは左側端面１４ｄの内側に位置付けられてシステム筐体１１と対向する。
【００４０】
図８（Ｂ）に示すようにタブレット入力位置では、アンテナ５１ａ〜５１ｄは、システム筐体１１の手前側端面１４ｃの外側に位置付けられ、アンテナ５３ａ〜５３ｃは右側端面１４ｂの外側に位置付けられてそれぞれシステム筐体１１と対向しないため、システム筐体１１や内部の金属部品の影響を受けることがなく良好な電波特性を維持する。コンピュータ４００は、上縁１２ｃとともに左縁１２ｄに実装したすべてのアンテナのタブレット入力位置における電波特性が良好になるので実装するアンテナの数が増えたときに有効である。なお、アンテナ５３ａ〜５３ｃを右縁１２ｂの内部に実装し、タブレット入力位置で、アンテナ５１ａ〜５１ｄが、システム筐体１１の手前側端面１４ｃの外側に位置付けられ、アンテナ５３ａ〜５３ｃが左側端面１４ｄの外側に位置付けられるようにヒンジ機構を構成するようにしてもよい。
【００４１】
コンピュータ５０、３００、４００では、タブレット入力モードで使用する際にアンテナが人体に接近することがあるが、その場合は、重力加速度計で画面の表示方向を検知してアンテナが人体に接近する状態で保持されているとコンピュータが判断した場合は、アンテナからの電波出力を低下させたり、停止させたりしてＳＡＲ（Specific Absorption Rate）が許容値未満になるようにすることができる。その際には、入力表示パネル１７にはアンテナの使用制限に関する表示をして、ユーザがアンテナを体から離してコンピュータを保持するように促すことができる。
【００４２】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００４３】
５０、３００、４００…コンバーチブル型コンピュータ
１１…システム筐体
１２ａ、１２ｂ、１２ｃ、１２ｄ…ディスプレイ筐体の下側、右側、上側、左側の縁
１３…ディスプレイ筐体
１４ａ、１４ｂ、１４ｃ、１４ｄ…システム筐体の奥側、右側、手前側、左側の側端面
１５…キーボード
１６ａ、１６ｂ、１６ｃ、１６ｄ…ディスプレイ筐体の奥側、右側、手前側、左側の側端面
１７…入力表示パネル
１００、１２０、１４０…ヒンジ機構
２０１…水平軸
２０３…垂直軸
２０７、２１１、２１５…ディスプレイ筐体の左右方向の中心を通過するライン
【図１】
0005504191.tif 000002
【図２】
0005504191.tif 000003
【図３】
0005504191.tif 000004
【図４】
0005504191.tif 000005
【図５】
0005504191.tif 000006
【図６】
0005504191.tif 000007
【図７】
0005504191.tif 000008
【図８】
0005504191.tif 000009
【図９】
0005504191.tif 000010